(57)【要約】    【課題】  空気が乾燥した時には加湿器が用いられており、一般的には超音波発振装置を内装して、液体噴霧させているものであるが、自動車は閉鎖された空間で外の環境に影響されやすい場所であるにも拘わらず芳香剤や脱臭剤等が置いてある程度であった。    【解決手段】  本発明は窓部１ｄを設けた本体ケーシング１と、空気流通部２ａを設けた底蓋体２と、ファン３と、内筒４と、液体供給部５ａと超音波振動部５ｂとを設けた液体誘導手段５と、液体タンク６と、空気流出口７ａを設けた空気流通路筒７と、空気流入口８ａと微粒子流出口８ｂを形成すると共に超音波振動部５ｂを内包した微粒子流通筒８と、風向リブ８ｃと、照明手段９と、微粒子流通筒８の内側の超音波振動部５ｂの直上に形成され両側側方に形成した微粒子流出用開口部１０ａから空気流に乗せて流出させる微粒子選択受部１０と、を備えた。【選択図】  図２
2006008103.tif 000002
【特許請求の範囲】
【請求項１】
頂面を有し底部を開口させ上方に微粒子放出口と前面に透明部材を張設した窓部とを設けた円筒状の本体ケーシングと、該本体ケーシングの底部に嵌着させ車内の雰囲気中の空気を取り入れる空気流通部を設けた底蓋体と、該底蓋体に固定し空気を送風させるファンと、該ファンを囲うように前記底蓋体に下端を当接すると共に前記本体ケーシングの下方に内装させる内筒と、該内筒の上方に固定した液体供給部と液体を噴霧状の微粒子にする超音波振動部とを設けた液体誘導手段と、該液体誘導手段の液体供給部に噴霧用液体を充填し一定量宛流出させる挿脱可能に挿入した液体タンクと、該液体タンクに並設させ上方に空気流出口を設け前記ファンからの空気を流通させる空気流通路筒と、該空気流通路筒と並設し上方に前記空気流出口と連通する空気流入口を設け且つ前記微粒子放出口と連通させる微粒子流出口を形成すると共に前記超音波振動部を内包するように配設した透明部材で形成した微粒子流通筒と、該微粒子流通筒の空気流入口の上下に立設した空気を下方に送風させると共に点灯時に液体の流出を防止する庇状の風向リブと、前記微粒子流通筒を照明する照明手段と、前記微粒子流通筒の内側の前記超音波振動部の直上に覆うように形成され液体を霧化させた微粒子を衝突させると共に両側側方に形成した夫々の微粒子流出用開口部から空気流に乗せて流出させる微粒子選択受部と、を備えたことを特徴とする車載用照明付き噴霧器。
【請求項２】
電源は車両に装備されているシガーライターソケットを用いることを特徴とする請求項１に記載の車載用照明付き噴霧器。
【請求項３】
本体ケーシングを車両に装備されているドリンクホルダーに挿入載置することことを特徴とする請求項１又は請求項２に記載の車載用照明付き噴霧器。
【発明の詳細な説明】
【技術分野】
【０００１】
本発明は自動車等の車内に超音波振動によって液体を微粒子にして空気に混流させて噴霧する車載用照明付きの噴霧器に関するものであり、更に詳細には、自動車等の車内において本体ケーシングの内部の超音波振動部から立ち上る微粒子を前面の透明部材の窓部を透して目視させると共に、カラー照明の照明手段を備えた照明付きの噴霧器に関するものである。
【背景技術】
【０００２】
従来、一般住居やオフィス等では空気が乾燥した時には加湿器が用いられており、一般的には超音波発振装置を内装して、水道水等を液体タンクに入れて噴霧させているものであるが、自動車等の車内も閉鎖された空間で外の環境に影響されやすい場所であるにも拘わらず芳香剤や脱臭剤等が置いてある程度であった。
【０００３】
然し乍ら、従来の加湿器である噴霧器は本体ケーシングの上方から単なる水を超音波振動により発生させた微粒子を湯気のように噴霧させているものが多く、加湿効果のみしか有していないものであり、その為、近年では水そのものに手を加えて身体や環境に有効な水を作る研究が進んでいる。
【０００４】
例えば、身体や環境に有効な液体を使用するものとして、例えば、超音波振動水発生方法は、先ず、発振回路によって電気振動を発生させ、超高周波の電気振動は、超音波振動子に印加されて、超音波振動が発生させ、その後、上記超音波振動子の超音波振動は、振動拡大ホーンの先端部に伝達されながら振幅が拡大させ、上記振動拡大ホーンの先端部には、略逆円錐傾斜面を有する漏斗部の表面に沿って回転しながら供給量が制御された水を落下させ、振動拡大ホーンに落下した水は、振動拡大ホーンから直接エネルギーが与えられて振動する超音波振動水となるもの（特許文献１参照）や、新たに蘇生させた酸化・還元物質として、水酸化ドロマイトとアルミナが混合した水溶液となって反応器内にとどめ、水素原子は分子Ｈ２となって飛び出すものと、ＨｎＯとアルミニウムから放出された自由電子が還元力の大きな原動力となり、混合溶液をＨＲＭと名付け、これが約２４時間経過すると固体部分が沈殿し、上澄みの水をＨＲＷと名付け、それぞれ酸化還元材として活用するもの（特許文献２参照）等が開示されている。
【特許文献１】特開２０００−１４０７２８号公報
【特許文献２】特開２００３−３００７０１号公報
【発明の開示】
【発明が解決しようとする課題】
【０００５】
然し乍ら、超音波振動水発生方法は、先ず、発振回路によって電気振動を発生させ、超高周波の電気振動は、超音波振動子に印加されて、超音波振動が発生させ、その後、上記超音波振動子の超音波振動は、振動拡大ホーンの先端部に伝達されながら振幅が拡大させ、上記振動拡大ホーンの先端部には、略逆円錐傾斜面を有する漏斗部の表面に沿って回転しながら供給量が制御された水を落下させ、振動拡大ホーンに落下した水は、振動拡大ホーンから直接エネルギーが与えられて振動する超音波振動水となるものを噴霧させるものでは、水に予め超音波振動を付与させているもので微細化しているものではあるが、車載用としては装置が大がかりのもので不適当である。
【０００６】
更に、新たに蘇生させた酸化・還元物質として、水酸化ドロマイトとアルミナが混合した水溶液となって反応器内にとどめ、水素原子は分子Ｈ２となって飛び出すものと、ＨｎＯとアルミニウムから放出された自由電子が還元力の大きな原動力となり、混合溶液をＨＲＭと名付け、これが約２４時間経過すると固体部分が沈殿し、上澄みの水をＨＲＷと名付け、それぞれ酸化還元材として活用するものでも、前述と同様に車載用としては不適当である。
【課題を解決するための手段】
【０００７】
本発明の照明付き噴霧器の噴霧方法は、前記課題に鑑み、鋭意研鑽の結果、頂面を有し底部を開口させ上方に微粒子放出口と前面に透明部材を張設した窓部とを設けた円筒状の本体ケーシングと、本体ケーシングの底部に嵌着させ空気流通部を設けた底蓋体と、底蓋体に固定したファンと、ファンを囲うように底蓋体に下端を当接すると共に本体ケーシングの下方に内装させる内筒と、内筒に固定した液体供給部と超音波振動部とを設けた液体誘導手段と、液体誘導手段の液体供給部に一定量宛流出させる液体タンクと、液体タンクに並設させ空気流出口を設けファンからの空気を流通させる空気流通路筒と、空気流通路筒と並設し空気流出口と連通する空気流入口を設け且つ微粒子放出口と連通させる微粒子流出口を形成すると共に超音波振動部を内包するように配設した透明部材で形成した微粒子流通筒と、微粒子流通筒の空気流入口の上下に立設した風向リブと、微粒子流通筒を照明する照明手段と、微粒子流通筒の内側の超音波振動部の直上に覆うように形成され液体を霧化させた微粒子を衝突させると共に両側側方に形成した微粒子流出用開口部から流出させる微粒子選択受部と、を備えたものであり、更に、電源は車両に装備されているシガーライターソケットを用いるものであり、更には、本体ケーシングを車両に装備されているドリンクホルダーに挿入載置するものである。
【発明の効果】
【０００８】
本発明の車載用照明付き噴霧器の噴霧方法は、円筒状の小型化した本体ケーシングの前面に透明部材を張設した窓部を備えると共に、本体ケーシングの内側に照明手段を設け、窓部の下方の本体ケーシングの内側に超音波振動部を設けたことによって、照明手段で超音波振動部により霧化された立ち上る微粒子を照明でき恰も湧き上がる雲海のように成り、それを本体ケーシングの前面の窓部から目視することができ、更に、照明手段をカラー照明とすることでことができ、幻想的な世界に浸れ癒し効果があるもので、更には、車両に装備されたシガーライターソケットから電源を得ることができ、更に、車両に装備されたドリンクホルダーを用いることで振動の激しい車両でも安定して載置することができ、又、脱臭剤や防臭剤を用いれば消臭防臭効果も期待でき、画期的で実用性の高い発明である。
【発明を実施するための最良の形態】
【０００９】
本発明は自動車等の車内に超音波振動によって液体を微粒子にして空気に混流させて噴霧する車載用照明付きの噴霧器に関するものであり、更に詳細には、自動車等の車内において本体ケーシング１の内部の超音波振動部５ｂから立ち上る微粒子を前面の透明部材の窓部１ｄを透して目視させると共に、カラー照明の照明手段９を備えた照明付きの噴霧器に関するものであり、請求項１に記載の車載用照明付き噴霧器は、頂面１ａを有し底部１ｂを開口させ上方に微粒子放出口１ｃと前面に透明部材を張設した窓部１ｄとを設けた円筒状の本体ケーシング１と、該本体ケーシング１の底部１ｂに嵌着させ車内の雰囲気中の空気を取り入れる空気流通部２ａを設けた底蓋体２と、該底蓋体２に固定し空気を送風させるファン３と、該ファン３を囲うように前記底蓋体２に下端を当接すると共に前記本体ケーシング１の下方に内装させる内筒４と、該内筒４の上方に固定した液体供給部５ａと液体を噴霧状の微粒子にする超音波振動部５ｂとを設けた液体誘導手段５と、該液体誘導手段５の液体供給部５ａに噴霧用液体を充填し一定量宛流出させる挿脱可能に挿入した液体タンク６と、該液体タンク６に並設させ上方に空気流出口７ａを設け前記ファン３からの空気を流通させる空気流通路筒７と、該空気流通路筒７と並設し上方に前記空気流出口７ａと連通する空気流入口８ａを設け且つ前記微粒子放出口１ｃと連通させる微粒子流出口８ｂを形成すると共に前記超音波振動部５ｂを内包するように配設した透明部材で形成した微粒子流通筒８と、該微粒子流通筒８の空気流入口８ａの上下に立設した空気を下方に送風させると共に点灯時に液体の流出を防止する庇状の風向リブ８ｃと、前記微粒子流通筒８を照明する照明手段９と、前記微粒子流通筒８の内側の前記超音波振動部５ｂの直上に覆うように形成され液体を霧化させた微粒子を衝突させると共に両側側方に形成した夫々の微粒子流出用開口部１０ａから空気流に乗せて流出させる微粒子選択受部１０と、を備えたことを特徴とするものである。
【００１０】
更に、請求項２に記載の車載用照明付き噴霧器は、請求項１に記載の車載用照明付き噴霧器において、電源は車両に装備されているシガーライターソケットを用いることを特徴とするものである。
【００１１】
更には、請求項３に記載の車載用照明付き噴霧器は、請求項１又は請求項２に記載の車載用照明付き噴霧器において、本体ケーシング１を車両に装備されているドリンクホルダーに挿入載置することを特徴とするものである。
【実施例】
【００１２】
以下、本発明の照明付き噴霧器の実施例の図面を用いて詳細に説明すと、図１は本発明の照明付き噴霧器の実施例の本体ケーシングの斜視図であり、図２は本発明の照明付き噴霧器の実施例の内部機構の分解斜視図であり、図３は本発明の車載用照明付き噴霧器の実施例の底部の分解斜視図であり、図４は本発明の車載用照明付き噴霧器の実施例の内部の説明をする断面説明図である。
【００１３】
即ち、本発明の車載用照明付き噴霧器は、超音波振動部５ｂで液体を霧化させて微粒子を噴霧させ、自動車等の車内の雰囲気中を加湿すると共に、照明手段９を設けて微粒子をカラー装飾して楽しむものであり、一般的に加湿を目的とする場合の液体は水道水、蒸留水等を用いるものであるが、天然植物性又は有機系複合剤の抗菌効果又は防カビ効果又は消臭効果を単独又は複合した水溶液とすることで、抗菌、防カビ、消臭用として有効な液体や、水に加工を加えたものを噴霧させても構わないものである。
【００１４】
そして、本体ケーシング１は、図示する如く、頂面１ａを有し底部１ｂを開口させた円筒形状で合成樹脂で形成したもので、上方には後述する微粒子を空気と共に車内の雰囲気中に放出するための微粒子放出口１ｃを設けており、本体ケーシング１の前面の微粒子放出口１ｃの下方には透明部材を張設した窓部１ｄを設け、更に、頂面１ａには電源（図示しない）に電気的に接続されたオンオフスイッチ１ｅを付設しているものである。
【００１５】
次に、底蓋体２は本体ケーシング１の開口させた底部１ｂに着脱自在に合着させ閉蓋するものであり、底蓋体２の相対する外周縁に係合用凸条を有した一対の嵌着用リブ２ｂを立設して、本体ケーシング１の底部１ｂに係合用溝を刻設して、材料特性の弾性によって嵌着させることで、振動の激しい車に乗載させても液体漏れやガタツキを防止しているものであり、前記底蓋体２の中心辺には車内の雰囲気中の空気を本体ケーシング１に取り入れる多数の空気流通部２ａを穿設しているものである。
【００１６】
次いで、ファン３はＤＣ５Ｖ、０．５Ｗ程度のもので前記オンオフスイッチ１ｅと電気的に接続されているものであり、前記底蓋体２の空気流通部２ａから空気を取り入れ、後述する空気流通路筒７に送風するものであり、実施例では底蓋体２の上面にビスによって固定しているものである。
【００１７】
更に、内筒４は円筒状のもので前記底蓋体２に下端を当接すると共に、前記本体ケーシング１の下方に内装させるものであり、前記ファン３を外周辺を囲うように設けると共に、後述する液体誘導手段５や照明手段９を組み付けるものである。
【００１８】
更には、液体誘導手段５は後述する液体タンク６から噴霧用液体を供給される上方に位置する液体供給部５ａと、液体供給部５ａから流通路により流入させ超音波振動子により液体を噴霧状の微粒子にする下方に位置する超音波振動部５ｂとを設けたもので、内筒４の上方辺に固定しているものである。
【００１９】
そして、液体タンク６はプラスチック又は軽金属で形成したもので噴霧するための噴霧用液体を充填しており、液体タンク６の口部には充填している噴霧用液体を一定量宛流出させる流量弁を備えた瓶形状のものであり、液体タンク６は霧化する噴霧用液体を補充するために後述する空気流通路筒７に挿通凹部を形成して挿脱可能に挿通させ、本体ケーシング１を取り外して上方から交換可能に収納するものである。
【００２０】
次に、空気流通路筒７は長手方向に液体タンク６を挿脱可能に並設させるように樋状の挿通凹部を形成しており、上方には後述する微粒子流通筒８の空気流入口８ａと連通する空気流出口７ａを設けており、前記ファン３からの空気を下方から上方の空気流出口７ａに流通させる筒状のものである。
【００２１】
次いで、微粒子流通筒８はプラスチック等の透明部材で形成したもので、空気流通路筒７と並設させており、上方には空気流通路筒７の空気流出口７ａと連通する空気流入口８ａを設け、更に、空気流入口８ａの相対する側の上方に前記本体ケーシング１の微粒子放出口１ｃと連通する微粒子流出口８ｂを設けると共に、前記超音波振動部５ｂを内包するように配設しているものであり、前記窓部１ｄに近接させて超音波振動部５ｂから立ち上る微粒子を外から目視できるようにしているものである。
【００２２】
そして、風向リブ８ｃは空気流入口８ａの内側の上下に微粒子流通筒８の下方に空気を送風させると共に、当該噴霧器を転倒させた場合にファン３や後述する照明手段９や電気的配線に液体がかからないように、微粒子流通筒８の液体の流出を防止するために上方を長くして先端に傾斜面を有し、下方を短くした庇状に立設したものである。
【００２３】
次いで、照明手段９は微粒子流通筒８を下方から照明するもので、前記内筒４の上方に装着させているものであり、複数のＬＥＤ等を配設して、白色、緑色、青色、赤色等のカラー発光させるものであり、前記オンオフスイッチ１ｅを介して電源と電気的に接続させており、つまり、照明手段９は透明部材で形成した微粒子流通筒８の内側を流通する空気に乗せた液体が霧化した微粒子を照明するものである。
【００２４】
更に、微粒子選択受部１０は微粒子流通筒８の内側に突出させて、超音波振動部５ｂの直上に覆うように縦断面の頂部辺をアール形状に形成し、下方に傾斜させて形成したもので、超音波振動部５ｂで液体を霧化させた微粒子を衝突させて大きい粒子は下方に落下させて液体誘導手段５に還元し、細かい微粒子のみを空気流に乗せ、両側側方に形成した夫々の微粒子流出用開口部１０ａから微粒子流通筒８の内部に空気に乗せて流通させるものである。
【００２５】
更には、本発明の車載用照明付き噴霧器の電源は自動車等の車両に装備されているシガーライターソケットから取るものであり、本体ケーシング１の頂面１ａに備えたオンオフスイッチ１ｅを介して、超音波発振部５ｂ及びファン３、照明手段９を夫々電気的に接続させているものである。
【００２６】
そして、本発明の車載用照明付き噴霧器の本体ケーシング１は車両に装備されているドリンクホルダーに挿入載置するものである。
【００２７】
つまり、本発明の車載用照明付き噴霧器は、車両のドリンクホルダーに挿入載置し、電源をシガーライターソケットから取り、噴霧用液体を充填した液体タンク６を挿入して、オンオフスイッチ１ｅを押圧することでファン３が駆動して雰囲気中の空気を取り込み、更に、超音波振動部５ｂにより噴霧用液体を微粒子にして噴霧することで空気流にのせて微粒子流通筒８を流通させるもので、照明手段９が点灯することから窓部１ｄから微粒子流通筒８に流通する微粒子を目視できると共に、微粒子放出口１ｃから微粒子を空気と共に放出することで車内が加湿されるものである。
【産業上の利用可能性】
【００２８】
従って、本発明は、車載用照明付き噴霧器は照明を付けたことによって、幻想的な雰囲気を醸し出せる車内のナイトライトとして使用できると共に、噴霧器本来の加湿ができ、更には、抗菌効果、防カビ効果、消臭効果を得ることを可能とする車載用照明付き噴霧器を提供するものである。
【図面の簡単な説明】
【００２９】
【図１】図１は本発明の照明付き噴霧器の実施例の本体ケーシングの斜視図である。
【図２】図２は本発明の照明付き噴霧器の実施例の内部機構の分解斜視図である。
【図３】図３は本発明の車載用照明付き噴霧器の実施例の底部の分解斜視図である。
【図４】図４は本発明の車載用照明付き噴霧器の実施例の内部の説明をする断面説明図である。
【符号の説明】
【００３０】
１      本体ケーシング
１ａ    頂面
１ｂ    底部
１ｃ    微粒子放出口
１ｄ    窓部
１ｅ    オンオフスイッチ
２      底蓋体
２ａ    空気流通部
２ｂ    嵌着用リブ
３      ファン
４      内筒
５      液体誘導手段
５ａ    液体供給部
５ｂ    超音波振動部
６      液体タンク
７      空気流通路筒
７ａ    空気流出口
８      微粒子流通筒
８ａ    空気流入口
８ｂ    微粒子流出口
８ｃ    風向リブ
９      照明手段
１０    微粒子選択受部
１０ａ  微粒子流出用開口部
【図１】
2006008103.tif 000003
【図２】
2006008103.tif 000004
【図３】
2006008103.tif 000005
【図４】
2006008103.tif 000006